(57)【要約】【課題】少なくとも一部に透明部分を有する紙幣を適切に検出できる装置を提供する。【解決手段】搬送路で搬送される少なくとも一部に透明部分を有する紙幣を検出する紙幣検出装置であって、光を発する発光素子を含む発光部材と、前記発光部材の内部で前記発光素子に対向するように設けられ、前記発光素子が発した光を前記発光部材の側面に集光して反射させるレンズ部材と、前記側面で反射され前記搬送路を斜めに通過した光を受光する受光部材と、を備える、紙幣検出装置。【選択図】図５
2015095023.tif 000002
【特許請求の範囲】
【請求項１】
搬送路で搬送される少なくとも一部に透明部分を有する紙幣を検出する紙幣検出装置であって、
光を発する発光素子を含む発光部材と、
前記発光部材の内部で前記発光素子に対向するように設けられ、前記発光素子が発した光を前記発光部材の側面に集光して反射させるレンズ部材と、
前記側面で反射され前記搬送路を斜めに通過した光を受光する受光部材と、
を備える、紙幣検出装置。
【請求項２】
請求項１に記載の紙幣検出装置において、
前記側面に設けられ、前記レンズ部材が集光した光を反射させる反射部材を更に備える、紙幣検出装置。
【請求項３】
搬送路で搬送される少なくとも一部に透明部分を有する紙幣を検出する紙幣検出装置であって、
光を発する発光素子を含む発光部材と、
前記発光素子に対向するように設けられ、前記発光素子が発した光を屈折させる偏光部材と、
前記偏光部材により屈折され前記搬送路を斜めに通過した光を受光する受光部材と、
を備える、紙幣検出装置。
【請求項４】
請求項３に記載の紙幣検出装置において、
前記偏光部材は、前記発光部材の上面に設けられ、
前記発光部材の内部に設けられており、前記発光素子が発した光を前記上面に対して垂直な方向に向かわせるレンズ部を更に備える、紙幣検出装置。
【請求項５】
請求項１〜４のいずれか１項に記載の紙幣検出装置において、
前記受光部材は、前記搬送路を挟んで対向する前記発光素子が発した光を受光する受光素子を有し、
前記受光素子と前記発光素子を結ぶ仮想線は、前記搬送路における前記紙幣の搬送方向と直交する、紙幣検出装置。
【請求項６】
請求項１〜５のいずれか１項に記載の紙幣検出装置において、
前記紙幣は、ポリマー紙幣である、紙幣検出装置。
【請求項７】
受光部材が受光する光を、少なくとも一部に透明部分を有する紙幣が搬送される搬送路へ向けて発する発光装置であって、
光を発する発光素子を含む発光部材と、
前記発光部材の内部で前記発光素子に対向するように設けられ、前記発光素子が発した光を前記発光部材の側面に集光して反射させるレンズ部材と、
を備え、
前記側面で反射された光が、前記搬送路を斜めに通過する、発光装置。
【請求項８】
受光部材が受光する光を、少なくとも一部に透明部分を有する紙幣が搬送される搬送路へ向けて発する発光装置であって、
光を発する発光素子を含む発光部材と、
前記発光素子に対向するように設けられ、前記発光素子が発した光を屈折させる偏光部材と、
を備え、
前記偏光部材により屈折された光が、前記搬送路を斜めに通過する、発光装置。
【請求項９】
少なくとも一部に透明部分を有する紙幣を搬送する搬送路と、
前記搬送路で搬送される前記紙幣を検出する紙幣検出部と、
を具備する自動取引装置であって、
前記紙幣検出部は、
光を発する発光素子を含む発光部材と、
前記発光部材の内部で前記発光素子に対向するように設けられ、前記発光素子が発した光を前記発光部材の側面に集光して反射させるレンズ部材と、
前記側面で反射され前記搬送路を斜めに通過した光を受光する受光部材と、
を備える、自動取引装置。
【請求項１０】
少なくとも一部に透明部分を有する紙幣を搬送する搬送路と、
前記搬送路で搬送される前記紙幣を検出する紙幣検出部と、
を具備する自動取引装置であって、
前記紙幣検出部は、
光を発する発光素子を含む発光部材と、
前記発光素子に対向するように設けられ、前記発光素子が発した光を屈折させる偏光部材と、
前記偏光部材により屈折され前記搬送路を斜めに通過した光を受光する受光部材と、
を備える、自動取引装置。
【発明の詳細な説明】
【技術分野】
【０００１】
本発明は、紙幣検出装置、発光装置、及び自動取引装置に関する。
【背景技術】
【０００２】
紙幣の入金取引や出金取引等を行う自動取引装置が利用されている。自動取引装置においては、装置内部の搬送路において取引対象の紙幣が搬送される。自動取引装置には、搬送路の紙幣の搬送状態等を検出する観点等から、搬送中の紙幣を検出する紙幣検出装置が設けられている。
【０００３】
例えば下記の特許文献１には、紙幣検出装置として、紙幣が搬送される搬送路を挟んで対向する発光ユニット及び受光ユニットを有する蛍光検出装置が開示されている。ここで、発光ユニットは、搬送路の紙幣に向けて光を照射し、受光ユニットは、発光ユニットが照射した光を受光する。
【先行技術文献】
【特許文献】
【０００４】
【特許文献１】特開２００５−２１５７８４号公報
【発明の概要】
【発明が解決しようとする課題】
【０００５】
ところで、紙幣として、少なくとも一部に透明部分を有する紙幣が利用されている。このような紙幣を特許文献１の構成の装置において搬送させる場合には、発光ユニットが発した光が紙幣の透明部分を透過してしまい、紙幣を正常に検出できない（すなわち、紙幣が搬送されていないと検出する）恐れがある。
【０００６】
そこで、本発明は、上記問題に鑑みてなされたものであり、本発明の目的とするところは、少なくとも一部に透明部分を有する紙幣を適切に検出できる装置を提供することにある。
【課題を解決するための手段】
【０００７】
上記課題を解決するために、本発明のある観点によれば、搬送路で搬送される少なくとも一部に透明部分を有する紙幣を検出する紙幣検出装置であって、光を発する発光素子を含む発光部材と、前記発光部材の内部で前記発光素子に対向するように設けられ、前記発光素子が発した光を前記発光部材の側面に集光して反射させるレンズ部材と、前記側面で反射され前記搬送路を斜めに通過した光を受光する受光部材と、を備える、紙幣検出装置が提供される。
【０００８】
かかる紙幣検出装置によれば、発光部材の内部で発光素子に対向するように設けられたレンズ部材が、発光素子が発した光を発光部材の側面に集光して反射させ、受光部材は、前記側面で反射され搬送路を斜めに通過した光を受光する。このような構成の場合には、側面で反射された光が、搬送中の紙幣の透明部分に斜めに達することになる。そして、透明部分に斜めに達した光の一部が反射されるため、透明部分を通過した光が受光部材で受光される光量は、光の光路上に紙幣が存在しない場合に受光部材が受光する光量に比べて少ない。このように、光が紙幣の透明部分を通過したことを識別できるので、少なくとも一部に透明部分を有する紙幣を適切に検出できる。
【０００９】
上記の紙幣検出装置は、前記側面に設けられ、前記レンズ部材が集光した光を反射させる反射部材を更に備えても良い。
【００１０】
上記課題を解決するために、本発明の別の観点によれば、搬送路で搬送される少なくとも一部に透明部分を有する紙幣を検出する紙幣検出装置であって、光を発する発光素子を含む発光部材と、前記発光素子に対向するように設けられ、前記発光素子が発した光を屈折させる偏光部材と、前記偏光部材により屈折され前記搬送路を斜めに通過した光を受光する受光部材と、を備える、紙幣検出装置が提供される。
【００１１】
かかる紙幣検出装置によれば、発光素子に対向するように設けられた偏光部材が、発光素子が発した光を屈折させ、受光部材は、前記偏光部材による屈折され搬送路を斜めに通過した光を受光する。このような構成の場合には、偏光部材により屈折された光が、搬送中の紙幣の透明部分に斜めに達することになる。そして、透明部分に斜めに達した光の一部が反射されるため、透明部分を通過した光が受光部材で受光される光量は、光の光路上に紙幣が存在しない場合に受光部材が受光する光量に比べて少ない。このように、光が紙幣の透明部分を通過したことを識別できるので、少なくとも一部に透明部分を有する紙幣を適切に検出できる。
【００１２】
上記の紙幣検出装置において、前記偏光部材は、前記発光部材の上面に設けられ、前記紙幣検出装置は、前記発光部材の内部に設けられており、前記発光素子が発した光を前記上面に対して垂直な方向に向かわせるレンズ部を更に備えても良い。
【００１３】
上記の紙幣検出装置において、前記受光部材は、前記搬送路を挟んで対向する前記発光素子が発した光を受光する受光素子を有し、前記受光素子と前記発光素子を結ぶ仮想線は、前記搬送路における前記紙幣の搬送方向と直交しても良い。
【００１４】
上記の紙幣検出装置において、前記紙幣は、ポリマー紙幣であっても良い。
【００１５】
上記課題を解決するために、本発明の別の観点によれば、受光部材が受光する光を、少なくとも一部に透明部分を有する紙幣が搬送される搬送路へ向けて発する発光装置であって、光を発する発光素子を含む発光部材と、前記発光部材の内部で前記発光素子に対向するように設けられ、前記発光素子が発した光を前記発光部材の側面に集光して反射させるレンズ部材と、を備え、前記側面で反射された光が、前記搬送路を斜めに通過する、発光装置が提供される。
【００１６】
上記課題を解決するために、本発明の別の観点によれば、受光部材が受光する光を、少なくとも一部に透明部分を有する紙幣が搬送される搬送路へ向けて発する発光装置であって、光を発する発光素子を含む発光部材と、前記発光素子に対向するように設けられ、前記発光素子が発した光を屈折させる偏光部材と、を備え、前記偏光部材により屈折された光が、前記搬送路を斜めに通過する、発光装置が提供される。
【００１７】
上記課題を解決するために、本発明の別の観点によれば、少なくとも一部に透明部分を有する紙幣を搬送する搬送路と、前記搬送路で搬送される前記紙幣を検出する紙幣検出部と、を具備する自動取引装置であって、前記紙幣検出部は、光を発する発光素子を含む発光部材と、前記発光部材の内部で前記発光素子に対向するように設けられ、前記発光素子が発した光を前記発光部材の側面に集光して反射させるレンズ部材と、前記側面で反射され前記搬送路を斜めに通過した光を受光する受光部材と、を備える、自動取引装置が提供される。
【００１８】
上記課題を解決するために、本発明の別の観点によれば、少なくとも一部に透明部分を有する紙幣を搬送する搬送路と、前記搬送路で搬送される前記紙幣を検出する紙幣検出部と、を具備する自動取引装置であって、前記紙幣検出部は、光を発する発光素子を含む発光部材と、前記発光素子に対向するように設けられ、前記発光素子が発した光を屈折させる偏光部材と、前記偏光部材により屈折され前記搬送路を斜めに通過した光を受光する受光部材と、を備える、自動取引装置が提供される。
【発明の効果】
【００１９】
以上説明したように本発明によれば、少なくとも一部に透明部分を有する紙幣を適切に検出することが可能となる。
【図面の簡単な説明】
【００２０】
【図１】本発明の第１の実施形態に係る自動取引装置１０の外観構成の一例を示す斜視図である。
【図２】自動取引装置１０の内部構成の一例を示す図である。
【図３】第１の実施形態に係る紙幣検出部１５０の構成の一例を示す模式図である。
【図４】第１の実施形態に係る発光素子１５４と受光素子１６３の間の光路を説明するための模式図である。
【図５】紙幣検出部１５０による紙幣検出の一例を説明するための模式図である。
【図６】第２の実施形態に係る紙幣検出部２５０の構成の一例を示す模式図である。
【図７】第３の実施形態に係る紙幣検出部３５０の構成の一例を示す模式図である。
【図８】第３の実施形態に係る発光素子１５４と受光素子１６３の間の光路を説明するための模式図である。
【図９】変形例に係る紙幣検出部４５０の構成の一例を示す模式図である。
【図１０】変形例に係る紙幣検出部５５０の構成の一例を示す模式図である。
【発明を実施するための形態】
【００２１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２２】
＜１．第１の実施形態＞
（１−１．自動取引装置の概要）
図１を参照しながら、本発明の第１の実施形態に係る自動取引装置１０の概要について説明する。図１は、第１の実施形態に係る自動取引装置１０の外観構成の一例を示す斜視図である。
【００２３】
自動取引装置１０は、金融機関の顧客による操作に基づいて金銭の取引を実行する顧客操作型端末である。この自動取引装置１０は、金融機関の営業店、コンビニエンスストア、駅構内、ホテル、病院、アミューズメントパーク、飲食店、オフィスビルディングなどの多様な施設に設置される。
【００２４】
図１に示すように、自動取引装置１０は、通帳挿入排出部１２と、カード挿入排出部１４と、硬貨入出金部１６と、紙幣入出金部１８と、操作表示部２０と、を有する。
【００２５】
通帳挿入排出部１２は、顧客の通帳の挿入および排出を行う。通帳は、顧客に関する顧客情報を記録した磁気ストライプを有する。通帳挿入排出部１２に挿入された通帳の顧客情報は、装置内部のカードリーダーによって読み取られる。
【００２６】
カード挿入排出部１４は、顧客の取引カード（例えば、キャッシュカード、クレジットカード、振込カード等）の挿入および排出を行う。取引カードは、現金支払い・預け入れ等に必要な顧客情報が記録された磁気ストライプやＩＣチップを有する。カード挿入排出部１４に挿入された取引カードの顧客情報は、装置内部のカードリーダーによって読み取られる。
【００２７】
硬貨入出金部１６は、顧客が入金硬貨を投入し、又は出金硬貨を顧客が受け取る入出金口を有する。例えば、硬貨入出金部１６に投入された硬貨は、入金処理として装置内部の硬貨処理ユニットにおいて鑑別・計数されて硬貨収納部に収納される。
【００２８】
紙幣入出金部１８は、顧客が入金紙幣を投入し、又は出金紙幣を顧客が受け取る入出金口を有する。例えば、紙幣入出金部１８に投入された紙幣は、入金処理として装置内部の紙幣処理ユニットにおいて鑑別・計数されて紙幣収納部に収納される。なお、紙幣処理ユニットの詳細構成については、後述する。
【００２９】
操作表示部２０は、顧客による操作の誘導画面を表示する表示部および顧客操作を検出する操作部としての機能を包含する。表示部としての機能は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置により実現される。また、操作部としての機能は、例えばタッチパネルにより実現される。なお、図１においては表示部及び操作部が一体的に構成される例を示しているが、表示部と操作部が分離して構成されても良い。
【００３０】
（１−２．自動取引装置の内部構成）
図２を参照しながら、第１の実施形態に係る自動取引装置１０の内部構成について説明する。図２は、第１の実施形態に係る自動取引装置１０の内部構成の一例を示す図である。
【００３１】
前述したように、自動取引装置１０の内部には、硬貨処理ユニットや紙幣処理ユニット等が設けられている。以下では、自動取引装置１０の内部構成として、入金紙幣や出金紙幣を処理する紙幣処理ユニット１００の詳細構成について説明する。
【００３２】
図２に示すように、紙幣処理ユニット１００は、入出金口１１０と、金種別カセット１２０と、補充回収カセット１２２と、回収ボックス１２４と、搬送路１３０と、鑑別部１３２と、制御部１４０と、記憶部１４２と、を有する。
【００３３】
入出金口１１０は、紙幣入出金部１８（図１）の一部を成す。入出金口１１０は、入金動作時に顧客が投入した紙幣を分離する入金口、及び出金動作時に顧客に出金される紙幣を集積する排出口として機能する。また、入出金口１１０の上部には、開閉可能なシャッタ１１１が設けられている。
【００３４】
金種別カセット１２０Ａ、１２０Ｂ、１２０Ｃは、顧客が入金した紙幣、及び出金する紙幣を金種毎に収納する。金種別カセット１２０Ａ〜１２０Ｃは、それぞれ紙幣の分離と集積を行う分離集積機構を有する。
【００３５】
補充回収カセット１２２は、金種別カセット１２０Ａ〜１２０Ｃに補充される紙幣を収納し、又は金種別カセット１２０Ａ〜１２０Ｃから回収した紙幣を収納する。補充回収カセット１２２は、紙幣の補充動作時のリジェクト紙幣を収納するリジェクト部１２３を有する。補充回収カセット１２２は、自動取引装置１０の装置本体に対して着脱可能な構成となっている。
【００３６】
回収ボックス１２４は、リジェクト紙幣を収納する。例えば、回収ボックス１２４は、入金動作時、出金動作時、及び回収動作時のリジェクト紙幣を収納する。
【００３７】
搬送路１３０は、入出金口１１０、金種別カセット１２０Ａ〜１２０Ｃ、及び補充回収カセット１２２の間で、紙幣が搬送される経路である。例えば、入金動作時には、入出金口１１０に投入された紙幣が、搬送路１３０を搬送されて金種別カセット１２０Ａ〜１２０Ｃに至る。また、出金動作時には、金種別カセット１２０Ａ〜１２０に収納された紙幣が、搬送路１３０を搬送されて入出金口１１０に至る。搬送路１３０には、紙幣を搬送する搬送ローラ等の搬送手段や、搬送路１３０で搬送される紙幣を検出する紙幣検出部１５０が設けられている。
【００３８】
ところで、搬送路１３０を搬送される紙幣には、少なくとも一部に透明部分を有する紙幣（以下、説明の便宜上、透明紙幣と呼ぶ）が含まれる。透明紙幣としては、例えば合成樹脂を使用したポリマー紙幣が挙げられる。ここで、透明部分とは、光が透過するように透明に形成された部分を意味する。なお、透明部分には、色が塗られていても光が透過するものも含んでも良い。第１の実施形態に係る紙幣検出部１５０は、詳細は後述するが、透明紙幣を適切に検出するための構成を有する。
【００３９】
鑑別部１３２は、搬送路１３０の途中に設けられており、搬送路１３０を搬送される紙幣を鑑別する。例えば、鑑別部１３２は、入金動作や出金動作時に、搬送路１３０を搬送される紙幣の金種、真偽、正損等を鑑別する。
【００４０】
制御部１４０は、紙幣処理ユニット１００の動作全体を制御する。例えば、制御部１４０は、鑑別部１３２の鑑別結果に応じた搬送先（金種別カセット１２０Ａ〜１２０Ｃ等）に紙幣を搬送させるように制御する。なお、制御部１４０は、紙幣処理ユニット１００だけで無く、自動取引装置１０の他の構成要素の動作も制御しても良い。
【００４１】
記憶部１４２は、制御部１４０が実行するプログラムを記憶する。また、記憶部１４２は、紙幣処理ユニット１００の動作時に必要な各種のデータを記憶する。
【００４２】
（１−３．紙幣検出部の詳細構成）
紙幣検出部１５０は、搬送路１３０で搬送される紙幣を検出するための紙幣検出装置である。紙幣検出部１５０は、図２に示すように搬送路１３０の複数の箇所に配置されているが、複数の紙幣検出部１５０の構成は、それぞれ同一である。以下においては、図３及び図４を参照しながら、第１の実施形態に係る紙幣検出部１５０の構成の一例について説明する。
【００４３】
図３は、第１の実施形態に係る紙幣検出部１５０の構成の一例を示す模式図である。図４は、発光素子１５４と受光素子１６３の間の光路を説明するための模式図である。図３に示すように、紙幣検出部１５０は、発光センサ１５２と、受光センサ１６０と、を有する。発光センサ１５２と受光センサ１６０は、紙幣が搬送される搬送路１３０を挟んで対向するように配置されている。なお、図３等では、説明の便宜上、搬送路１３０を破線で示している。
【００４４】
（発光センサ１５２）
発光センサ１５２は、搬送路１３０へ向けて光を発する発光部材である。また、発光センサ１５２は、発光装置に該当する。発光センサ１５２は、ケース１５３と、発光素子１５４と、集光レンズ１５５ａ、１５５ｂと、を有する。
【００４５】
ケース１５３は、発光センサ１５２の筐体としてＬ字状に形成されている。ケース１５３は、ここでは樹脂製であるが、これに限定されず、例えば金属製であっても良い。ケース１５３の内部には、発光素子１５４、及び集光レンズ１５５ａ、１５５ｂが設けられている。
【００４６】
発光素子１５４は、例えば発光ダイオードにより構成されており、受光センサ１６０により受光される光を発する。発光素子１５４は、所定角度内に拡散するように光を発する。発光素子１５４は、ケース１５３の底部に配置された基板１５６上に設けられている。
【００４７】
集光レンズ１５５ａ、１５５ｂは、ケース１５３の内部において発光素子１５４の上方に設けられた一対のレンズである。集光レンズ１５５ａ、１５５ｂは、図４に示すように、発光素子１５４が発した光をケース１５３の側面１５３ａに集光させて反射させるレンズ部材である。集光レンズ１５５ａ、１５５ｂは、それぞれ光の入射面と出射面が湾曲するように形成されている。２つの集光レンズ１５５ａ、１５５ｂは、図３では同一形状であるが、異なる形状であっても良い。
【００４８】
集光レンズ１５５ａ、１５５ｂは、光の拡散する方向に合わせて、発光素子１５４に対して斜めに対向するように配置されている。具体的には、集光レンズ１５５ａ、１５５ｂが、略ハ字状に配置されている。これにより、発光素子１５４が発した光を、効果的に側面１５３ａに集光させることができる。
【００４９】
ここで、ケース１５３の側面１５３ａは、集光された光の一部を反射させても良いし（残りは、側面１５３ａに吸収され、又は側面１５３ａを通過する）、集光された光の全部を反射させても良い。すなわち、側面１５３ａを形成する材質に応じて、反射される光の量が変化しうる。
【００５０】
側面１５３ａで反射された光は、図４に示すように、ケース１５３の上方の開口１５３ｂを斜めに通過する。このため、側面１５３ａで反射された光は、紙幣が搬送される搬送路１３０を斜めに通過することになる。
【００５１】
図３では、発光素子１５４が水平に配置された基板１５６上に設けられるように示されているが、これに限定されない。例えば、発光素子１５４が斜めに配置された基板（側面１５３ａとの成す角度が鈍角になっている）上に設けられても良い。かかる場合には、集光レンズを一つだけ設ければ良い。
【００５２】
（受光センサ１６０）
受光センサ１６０は、搬送路１３０を挟んで対向する発光センサ１５２が発した光を受光する受光部材である。具体的には、受光センサ１６０は、発光センサ１５２の側面１５３ａで反射され搬送路１３０を斜めに通過した光を受光する。受光センサ１６０は、ケース１６１と、レンズ部１６２と、受光素子１６３と、を有する。
【００５３】
ケース１６１は、受光センサ１６０の筐体として、ケース１５３に対応する形状に形成されている。ケース１６１の内部には、受光素子１６３が設けられている。
【００５４】
レンズ部１６２は、ケース１６１において光の入光面側に設けられている。レンズ部１６２は、ケース１６１と一体であり、ケース１６１の厚みを大きくして凸状に形成されている。これにより、部品点数を増やすこと無く、レンズ部１６２を設けることができる。レンズ部１６２は、搬送路１３０を斜めに通過した光を受光素子１６３に集光させる機能を有する。なお、レンズ部１６２は、ケース１６１と一体成形されずに、専用の部品をケース１６１に取り付けても良い。
【００５５】
受光素子１６３は、例えばフォトトランジスタにより構成されており、レンズ部１６２で集光された光を受光する。受光素子１６３は、ケース１６１の上部に配置された基板１６４上に設けられている。受光素子１６３が受光する光量は、搬送路１３０を搬送される紙幣の有無等に応じて変化する。別言すれば、紙幣検出部１５０は、受光素子１６３が受光した光量を見ることで、搬送路１３０内の紙幣の有無を検出できる。
【００５６】
第１の実施形態では、受光素子１６３及び発光素子１５４は、受光素子１６３と発光素子１５４を結ぶ仮想線（図３に示す線Ｌ）が、搬送路１３０における紙幣の搬送方向と直交するように、配置されている。すなわち、受光素子１６３と発光素子１５４が紙幣の搬送方向と平行に配置されている状態で、発光素子１５４が発した光が、搬送方向に対して直交するように通過するのでは無く、搬送方向に対して斜めに通過する。
【００５７】
（１−４．紙幣検出部による紙幣の検出例）
上述した構成の紙幣検出部１５０による紙幣検出の一例について、図５を参照しながら説明する。
【００５８】
図５は、紙幣検出部１５０による紙幣検出の一例を説明するための模式図である。なお、以下では、発光センサ１５２の発光素子１５４から発せられる光は、側面１５３ａで反射され、搬送路１３０を斜めに通過するものとする（図４参照）。
【００５９】
まず、図５（ａ）に示すように、発光センサ１５２が発した光の光路上に紙幣が存在しない場合について説明する。光路上に紙幣が存在しない場合には、発光センサ１５２が発した光（すなわち、側面１５３ａで反射された光）が、搬送路１３０を斜めに通過して受光センサ１６０に至る。かかる場合には、光が紙幣によって減衰されない。ここで、受光センサ１６０が、受光する光の光量をＡ１とする。
【００６０】
次に、図５（ｂ）に示すように、発光センサ１５２が発した光の光路上に透明紙幣Ｓの透明部分Ｓ１が存在する場合について説明する。光路上に透明部分Ｓ１が存在する場合には、発光センサ１５２が発した光が、透明部分Ｓ１に垂直では無く、斜めに達する。このため、透明部分Ｓ１に達した光の一部が、透明部分Ｓ１において反射される。この結果、透明部分Ｓ１を透過した光は減衰され、受光センサ１６０は、減衰した状態の光を受光する。これにより、受光センサ１６０が受光する光量Ａ２は、光路上に紙幣が存在しない場合の光量Ａ１よりも少ない。
【００６１】
次に、図５（ｃ）に示すように、発光センサ１５２が発した光の光路上に透明紙幣Ｓの透明部分Ｓ１以外の非透明部分Ｓ２が存在する場合について説明する。光路上に非透明部分Ｓ２が存在する場合には、発光センサ１５２が発した光の大部分が、非透明部分Ｓ２において反射、及び非透明部分Ｓ２に吸収される。このため、非透明部分Ｓ２を透過した光は大きく減衰され、受光センサ１６０は、大きく減衰した状態の光を受光する。これにより、受光センサ１６０が受光する光量Ａ３は、光路上に透明部分Ｓ１が存在する場合の光量Ａ２よりも少ない。
【００６２】
このように、発光センサ１５２により発せられた光が搬送路１３０を斜めに通過することで、光路上に紙幣が存在しない場合の光量Ａ１、光路上に透明部分Ｓ１が存在する場合の光量Ａ２、及び光路上に非透明部分Ｓ２が存在する場合の光量Ａ３が、それぞれ異なることになる。このため、第１の実施形態に係る紙幣検出部１５０によれば、紙幣の透明部分を適切に識別できる。
【００６３】
なお、透明部分を有しない紙幣が光路上に存在する場合には、図５（ｃ）に示す光路上に非透明部分Ｓ２が存在する場合と同様に、受光センサ１６０が受光する光量は、光量Ａ３となる。これにより、紙幣検出部１５０は、受光センサ１６０が受光する光量に応じて、紙幣の有無や透明部分を適切に検出できる。
【００６４】
（１−５．第１の実施形態の有効性）
第１の実施形態においては、図４に示すように、発光センサ１５２の内部で発光素子１５４に対向するように設けられた集光レンズ１５５ａ、１５５ｂが、発光素子１５４が発した光を発光センサ１５２の側面１５３ａに集光して反射させ、受光センサ１６０は、側面１５３ａで反射され搬送路１３０を斜めに通過した光を受光する。
【００６５】
このような構成の場合には、図５に示すように、側面１５３ａで反射された光が、搬送中の透明紙幣Ｓの透明部分Ｓ１に斜めに達することになる。そして、透明部分Ｓ１に斜めに達した光の一部が反射されるため、透明部分Ｓ１を通過した光が受光センサ１６０で受光される光量Ａ２は、光の光路上に紙幣が存在しない場合に受光センサ１６０によって受光される場合の光量Ａ１に比べて少ない。このように、光が透明部分Ｓ１を通過したことを識別できるので、透明紙幣Ｓの透明部分Ｓ１を適切に検出できる。
【００６６】
なお、上記では、紙幣検出部１５０が紙幣検出装置であることとしたが、これに限定されない。例えば、鑑別部１３２（図２）が、紙幣検出部１５０と同様な構成を有する紙幣検出装置であっても良い。これにより、紙幣の金種等を適切に検出できる。
【００６７】
＜２．第２の実施形態＞
図６を参照しながら、第２の実施形態に係る紙幣検出部２５０の構成の一例について説明する。
【００６８】
図６は、第２の実施形態に係る紙幣検出部２５０の構成の一例を示す模式図である。図６に示すように、紙幣検出部２５０も、搬送路１３０を挟んで対向する発光センサ１５２、及び受光センサ１６０を有する。受光センサ１６０の構成は、第１の実施形態と同様なので、詳細な説明は省略する。
【００６９】
第２の実施形態に係る発光センサ１５２は、第１の実施形態とは異なり、ケース１５３の側面１５３ａに、集光レンズ１５５ａ、１５５ｂが集光した光を反射させる反射部材２５６が設けられている。なお、発光センサ１５２の反射部材２５６の以外の構成は、第１の実施形態と同様なので、詳細な説明は省略する。
【００７０】
第２の実施形態でも、反射部材２５６で反射された光は、第１の実施形態と同様に、紙幣が搬送される搬送路１３０を斜めに通過する（図４参照）。かかる場合には、光路上に紙幣が存在しない場合の光量Ａ１、光路上に透明部分Ｓ１が存在する場合の光量Ａ２、及び光路上に非透明部分Ｓ２が存在する場合の光量Ａ３が、それぞれ異なることになる。このため、紙幣の有無や透明部分を適切に検出できる。
【００７１】
反射部材２５６は、例えば、金属シートやミラーで形成されている。反射部材２５６は、側面１５３ａの全体に設けても良いし、側面１５３ａにおいて光が集光される部分のみに設けても良い。反射部材２５６を側面１５３ａに設けることで、集光レンズ１５５ａ、１５５ｂで集光された光が側面１５３ａから漏れることを抑制される。このため、受光センサ１６０への光の伝達効率を高めることができる。
【００７２】
ここで、反射部材２５６は、側面１５３ａの内側に設けられている。これにより、側面１５３ａに集光された光をより効率的に反射させることができるので、受光センサ１６０への光の伝達効率を更に高めることができる。
【００７３】
さらに、光の伝達効率を高めることで、光路上に紙幣が存在しない場合の光量Ａ１、光路上に透明部分Ｓ１が存在する場合の光量Ａ２、及び光路上に非透明部分Ｓ２が存在する場合の光量Ａ３の差を大きくなる。かかる場合には、光量の差分が、ノイズの発生等に伴う光量の変動を吸収できるので、誤検出を防止できる。
【００７４】
また、光の伝達効率を高めることで、発光素子１５４と受光素子１６３の間の距離を大きくしても、受光素子１６３は光を適切に受光できる。これにより、発光センサ１５２と受光センサ１６０の搬送路１３０に対する配置の自由度が高まる。
【００７５】
上記では、反射部材２５６が側面１５３ａに内側に設けられることとしたが、これに限定されず、反射部材は、側面１５３ａの外側に設けられても良い。かかる場合にも、集光レンズ１５５ａ、１５５ｂで集光された光が側面１５３ａから漏れることを抑制可能である。
【００７６】
＜３．第３の実施形態＞
図７及び図８を参照しながら、第３の実施形態に係る紙幣検出部３５０の構成の一例について説明する。
【００７７】
図７は、第３の実施形態に係る紙幣検出部３５０の構成の一例を示す模式図である。図８は、発光素子１５４と受光素子１６３の間の光路を説明するための模式図である。図７に示すように、紙幣検出部３５０も、搬送路１３０を挟んで対向する発光センサ１５２、及び受光センサ１６０を有する。受光センサ１６０の構成は、第１の実施形態と同様である。
【００７８】
第３の実施形態に係る発光センサ１５２においては、第１の実施形態の集光レンズ１５５ａ、１５５ｂに代えて、図７に示すように、レンズ部３５７と、偏光部材３５８と、を有する。なお、発光センサ１５２のレンズ部３５７及び偏光部材３５８以外の構成は、第１の実施形態と同様なので、詳細な説明は省略する。
【００７９】
レンズ部３５７は、発光センサ１５２の内部において発光素子１５４の上方に形成されている。レンズ部３５７は、ケース１５３と一体であり、ケース１５３の厚みを大きくして凸状に形成されている。レンズ部３５７は、発光素子１５４が発した光を、発光センサ１５２のケース１５３の上面に対して垂直な方向に向かわせる。
【００８０】
偏光部材３５８は、ケース１５３の上面にて発光素子１５４に対向するように設けられた偏光板である。偏光部材３５８は、発光素子１５４が発した光を屈折させる。これにより、レンズ部３５７により進行方向が揃えられた光が、偏光部材３５８により所定の傾きだけ屈折させられる。偏光部材３５８により屈折された光は、図８に示すように搬送路１３０を斜めに通過する。このように偏光部材３５８を設けることで、発光素子１５４が発した光を、効率良く搬送路１３０に対して斜めに通過させることができる。
【００８１】
受光センサ１６０は、偏光部材３５８により屈折され搬送路１３０を斜めに通過した光を受光する。すなわち、受光センサ１６０のレンズ部１６２が、光を受光素子１６３に集光させて受光させる。
【００８２】
第３の実施形態によれば、偏光部材３５８により屈折された光が、搬送中の透明紙幣の透明部分に斜めに達することになる（図５参照）。そして、透明部分に斜めに達した光の一部が反射されるため、透明部分を通過した光が受光センサ１６０で受光される光量は、光の光路上に紙幣が存在しない場合に受光センサ１６０によって受光される場合の光量に比べて少ない。このように、光が紙幣の透明部分を通過したことを識別できるので、紙幣の透明部分を適切に検出できる。
【００８３】
（変形例）
上述した実施形態では、図３等に示すように紙幣検出部１５０の受光センサ１６０が搬送路１３０を挟んで発光センサ１５２に対向することとしたが、これに限定されない。例えば、図９及び図１０に示すような構成であっても良い。
【００８４】
図９は、変形例に係る紙幣検出部４５０の構成の一例を示す模式図である。図９に示すように、紙幣検出部４５０は、発光センサと受光センサが一体になったセンサ４５１と、搬送路１３０を挟んでセンサ４５１と対向するプリズム４７０と、を有する。
【００８５】
センサ４５１は、光を発する機能と、プリズム４７０で反射された光を受光する機能とを有する。センサ４５１は、発光部４５２と、受光部４６０とを有する。発光部４５２と受光部４６０は、搬送路１３０から見て一方の側（図９では搬送路１３０の下側）に設けられている。
【００８６】
発光部４５２は、第１の実施形態と同様に、発光素子４５４と、集光レンズ４５５ａ、４５５ｂと、を有する。発光素子４５４が発した光は、集光レンズ４５５ａ、４５５ｂによりケース４５３の側面４５３ａに集光されて反射される。側面４５３ａで反射された光は、ケース４５３の開口４５３ｂを通過後に、搬送路１３０を斜めに通過することになる。
【００８７】
プリズム４７０は、第１反射面４７１と、第２反射面４７２と、を有する。第１反射面４７１は、発光部４５２が発した光を第２反射面４７２に向けて反射させる。第２反射面４７２は、第１反射面４７１で反射された光を受光部４６０へ向けて反射させる。
【００８８】
受光部４６０は、プリズム４７０の第２反射面４７２で反射された光を受光する。受光部４６０は、第１の実施形態と同様に、レンズ部４６２と、受光素子４６３と、を有する。受光部４６０に至った光は、ケース４５３と一体に形成されたレンズ部４６２により受光素子４６３に集光されて受光される。
【００８９】
図１０は、変形例に係る紙幣検出部５５０の構成の一例を示す模式図である。図１０に示すように、紙幣検出部５５０は、発光センサ１５２と、受光センサ１６０と、プリズム５７０と、を有する。
【００９０】
発光センサ１５２の構成は、第１の実施形態と同様である。発光センサ１５２が発した光は、搬送路１３０を斜めに通過して、搬送路１３０を挟んで発光センサ１５２に対向するプリズム５７０に至る。プリズム５７０は、発光センサ１５２が発した光を受光センサ１６０に反射させる反射面５７１を有する。
【００９１】
受光センサ１６０は、搬送路１３０から見てプリズム５７０が配置されている側に設けられている。受光センサ１６０は、プリズム５７０で反射された光を受光する。受光センサ１６０の構成は第１の実施形態と同様であるので、詳細な説明は省略する。
【００９２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００９３】
１０      自動取引装置
１３０    搬送路
１５０、２５０、３５０    紙幣検出部
１５２    発光センサ
１５３ａ    側面
１５４    発光素子
１５５ａ、１５５ｂ    集光レンズ
１６０    受光センサ
１６３    受光素子
２５６    反射部材
３５７    レンズ部
３５８    偏光部材
Ｓ    紙幣
Ｓ１    透明部分
【図１】
2015095023.tif 000003
【図２】
2015095023.tif 000004
【図３】
2015095023.tif 000005
【図４】
2015095023.tif 000006
【図５】
2015095023.tif 000007
【図６】
2015095023.tif 000008
【図７】
2015095023.tif 000009
【図８】
2015095023.tif 000010
【図９】
2015095023.tif 000011
【図１０】
2015095023.tif 000012